(57)【要約】      （修正有）【課題】下肢のマッサージ範囲が広げられるとともに、下肢筋肉のマッサージ効果が向上され、さらに、不具合がある部位に対して局部的に強調できる振り子式下肢マッサージ機構を提供する。【解決手段】振り子式下肢マッサージ機構は、台座１０と、台座において振り子動作できる揺動アーム２０とを含む。揺動アームはマッサージ端２１と揺動端２２とを有する。マッサージ端に二つのマッサージローラー２３が設けられ、それらはマッサージローラーモーター２４によって回転動作する。揺動端は台座に取り付けられ、揺動モーターによって振り子動作が生じる構成とする。【選択図】図２
2020108727.tif 000002
【特許請求の範囲】
【請求項１】
台座と揺動アームとを含む振り子式下肢マッサージ機構であって、
前記台座は、その上端面の偏心位置に組み合わせベースが設けられ、前記組み合わせベースの下半部に揺動モーターを固定するための組み合わせ溝が設けられ、前記揺動モーターの連動端は前記組み合わせベースの外に露出し、また前記連動端の両側にそれぞれ連動ギアが設けられ、前記組み合わせベースの上半部は両側を貫通して軸穿孔が設けられ、また前記組み合わせベースの両側にそれぞれ保護蓋が設けられ、
前記揺動アームは、マッサージ端と揺動端とを有し、前記マッサージ端の両側に対称のマッサージローラーがそれぞれ設けられ、さらに前記マッサージ端の内部にマッサージローラーモーターが設けられることによって、二つのマッサージローラーが連動され回転動作し、前記揺動端は前記組み合わせベースの前方に設けられ、また前記揺動端の両側にそれぞれ揺動ギアが固設され、二つの揺動ギアの中心孔は前記組み合わせベースの軸穿孔と向かい合わせであり、軸栓によって連結制限すると同時に二つの揺動ギアと前記揺動モーターの二つの連動ギアと噛み合わせて作動することで、前記揺動モーターによって前記揺動アームを連動して前記台座に振り子動作と定点状態があるようにさせることで、前記マッサージ端の振り子循環マッサージと定点マッサージの目的が果たされることを特徴とする振り子式下肢マッサージ機構。
【請求項２】
前記台座の両側に二つの脚フレームがそれぞれ設けられ、前記組み合わせベースの前方に第一極限スイッチが設けられ、その中、前記保護蓋の内側に９０度より大きく、１８０度より小さい位置に第二極限スイッチが設けられ、前記第一、第二極限スイッチはそれぞれ前記揺動モーターと連接されることで、前記揺動モーターの正反転の起動タイミングが制御されることを特徴とする請求項１の振り子式下肢マッサージ機構。
【請求項３】
前記二つの保護蓋の内側にそれぞれ収容溝が凹設され、前記収容溝によって前記揺動ギアが被覆されて制限されることを特徴とする請求項１の振り子式下肢マッサージ機構。
【請求項４】
前記二つのマッサージローラーは、それぞれ二つの円盤を軸柱に連接し、該軸柱は二つの円盤の内側より中央へ集中する複数のマッサージユニットが順番に設けられることを特徴とする請求項１の振り子式下肢マッサージ機構。
【請求項５】
前記二つのマッサージローラーの外にはそれぞれ布カバーで覆われることを特徴とする請求項１の振り子式下肢マッサージ機構。
【請求項６】
前記軸穿孔の両側端にそれぞれ軸受け部材が設けられることを特徴とする請求項１の振り子式下肢マッサージ機構。
【請求項７】
前記連動ギアの円直径サイズは前記揺動ギアの円直径サイズより小さく、さらに歯の差異によって前記揺動アームがゆっくり揺動することが果たされることを特徴とする請求項１の振り子式下肢マッサージ機構。
【発明の詳細な説明】
【技術分野】
【０００１】
本発明はマッサージ構造に関し、特に振り子式下肢マッサージ機構に関する。
【背景技術】
【０００２】
現代人は仕事におけるストレスが大きく、体が凝りやすいため、マッサージ器具を好んで購入して体の異なる部位をマッサージし、体をほぐしたり、ストレスを解消したりする。一般のマッサージ機は全身マッサージ機と局部マッサージ機に分けられ、全身マッサージ機はマッサージチェア、マッサージベッドなどがあり、局部マッサージ機は首肩マッサージベルト、腰マッサージベルトとふくらはぎ及び足部のマッサージ機などがある。ローラー、エアバッグまたは振動などの機械式の揉み解しによって対応する部位を揉み解して、筋肉の緊張状態を和らげる。
【０００３】
特に今はサービス業で勤務する人が多くなっており、長時間の立ち仕事は下肢の筋肉痛、緊張と浮腫みなどの不具合になりやすいため、業者が下肢マッサージ機構を発売し、下肢、足部のマッサージに提供される。しかし、今よく見られる下肢マッサージ装置の多くはマッサージチェアに合わせて使用されるが、単独でも使用できる。市販でよく見られる下肢マッサージ機構はすべて複雑なマッサージ機構があるため、該下肢マッサージ機構の体積が大きく、家の中の空間が足りないため収納しにくく、使用上において不便であるため、たくさんの消費者の購買意欲が萎えてしまう。
【０００４】
一方、マッサージチェアに合わせて使用する下肢マッサージ機はマッサージチェアの昇降によって作動できるため、該下肢マッサージチェアのマッサージ状態と効果が豊かになる一方、実際において該下肢マッサージ機構の使用状態が限られてしまう。またマッサージチェアを購入する費用を増やさなければならず、購入予算の増加によって、消費者の購入意欲を下げてしまう。
【０００５】
単独使用の下肢マッサージ機構は、地面に置くことしかできず、また使用者が椅子に座ってから使用することしかできない。使用者が座る時に両足を自然に下ろして該下肢マッサージ機構の中に収容させて下肢のマッサージを行うことは、マッサージ使用の変化に欠ける上、実際に下肢に対してマッサージできる部位はふくらはぎ、くるぶしまたは足裏に限られるため、該下肢マッサージ機構の実用性を大幅に下げてしまう。
【０００６】
従って、本発明者は長年にわたって関係商品の製造開発と設計をした経験により、上述の目標について、詳しく設計をして慎重に評価した結果、実用性に満ちた本発明を得た。
【発明の概要】
【発明が解決しようとする課題】
【０００７】
現在技術における上述の欠点を解決し、振り子式下肢マッサージ機構（二）を提供する。
【課題を解決するための手段】
【０００８】
本発明のマッサージ機構は、台座と揺動アームとを含む。該台座の上端面の偏心位置に組み合わせベースが設けられ、該組み合わせベースの下半部に、揺動モーターを固定するための組み合わせ溝が設けられる。該揺動モーターの連動端は該組み合わせベースの外に露出し、また該連動端の両側にそれぞれ連動ギアが設けられる。該組み合わせベースの上半部は両側を貫通して軸穿孔が設けられ、また該組み合わせベースの両側にそれぞれ保護蓋が設けられる。該揺動アームはマッサージ端と揺動端とを有し、該マッサージ端の両側に対称なマッサージローラーがそれぞれ設けられ、さらに該マッサージ端の内部にマッサージローラーモーターが設けられることによって、二つのマッサージローラーが連動され回転動作する。該揺動端は該組み合わせベースの前方に設けられ、また該揺動端の両側にそれぞれ揺動ギアが固設される。二つの揺動ギアの中心孔は該組み合わせベースの軸穿孔と向かい合わせであり、軸栓によって連結制限すると同時に二つの揺動ギアと該揺動モーターの二つの連動ギアと噛み合わせて作動することで、該揺動モーターによって該揺動アームを連動して該台座に振り子動作の定点状態があるようにさせることで、該マッサージ端の振り子循環マッサージと定点マッサージの目的が果たされる。
【０００９】
該台座の両側に二つの脚フレームがそれぞれ設けられ、該組み合わせベースの前方に第一極限スイッチが設けられる。その中、該保護蓋の内側に９０度より大きく、１８０度より小さい位置に第二極限スイッチが設けられ、該第一、第二極限スイッチはそれぞれ該揺動モーターと連接されることで、該揺動モーターの正反転の起動タイミングが制御される。
【００１０】
二つの保護蓋の内側にそれぞれ収容溝が凹設され、該収容溝によって該揺動ギアが被覆されて制限される。
【００１１】
二つのマッサージローラーはそれぞれ二つの円盤を軸柱に連接し、該軸柱は二つの円盤の内側より中央へ集中する複数のマッサージユニットが順番に設けられる。
【００１２】
二つのマッサージローラーの外にはそれぞれ布カバーで覆われる。
【００１３】
該組み合わせベースの軸穿孔の両側端にそれぞれ軸受け部材が設けられる。
【００１４】
該連動ギアの円直径サイズは該揺動ギアの円直径サイズより小さく、さらに歯の差異によって該揺動アームがゆっくり揺動することが果たされる。
【００１５】
（一）本考案のマッサージ機構は台座と、該台座において振り子動作できる揺動アームとを含む。該揺動アームのマッサージ端に二つのマッサージローラーが設けられることで、該構造を使用する時、該マッサージローラーモーターと揺動モーターを同時に起動することによって、振り子が循環して下肢をマッサージする効果を奏するため、下肢のマッサージ範囲が広げられる。さらに揺動アームが上昇する時、該下肢を支えながら持ち上げ、筋肉のほぐしを果たすことで、下肢筋肉のマッサージ効果が向上される。
【００１６】
（二）該揺動アームは定点マッサージに切り替えられるため、下肢の筋肉に比較的に不具合がある部位に対して局部的に強調でき、構造の実用性が増加される。
【００１７】
（三）該マッサージ機構は該揺動アームによって使用者が座ってまたは横になったままでも使用できるため、該マッサージ機構使用の利便性が向上される。使用者が横になったまま使用する時、揺動アームの上昇を利用して、下肢を支えながら心臓より高い位置に持ち上げられ、足を上げる効果を奏する。さらにマッサージローラーのマッサージ動作に合わせると、下肢マッサージ効果を大幅に向上し、足部の血液循環を促進できるため、筋肉痛、疲労などの不具合を解消でき、該マッサージ機構の実用性が向上される。
【００１８】
（四）該揺動アームは最底部に回されて該台座と水平設置にでき、該マッサージ構造の体積を大幅に低減し、空間を占めることが避けられるため、使用後の収納に有利で、収納の利便性が向上される。
【図面の簡単な説明】
【００１９】
【図１】図１は、本発明に係る振り子式下肢マッサージ機構（二）の立体図である。
【図２】図２は、本発明に係る振り子式下肢マッサージ機構（二）の分解図である。
【図３】図３は、本発明に係る振り子式下肢マッサージ機構（二）の俯瞰図である。
【図４】図４は、本発明に係る振り子式下肢マッサージ機構（二）の前視図である。
【図５】図５は、本発明に係る振り子式下肢マッサージ機構（二）の組合せ断面図である。
【図６】図６は、本発明に係る振り子式下肢マッサージ機構（二）の側視図である。
【図７】図７は、本発明の振り子の状態を示す図である。
【図８】図８は、本発明を使用者が座って使用する状態を示す図（一）である。
【図９】図９は、本発明を使用者が座って使用する状態を示す図（二）である。
【図１０】図１０は、本発明を使用者が座って使用する状態を示す図（三）である。
【図１１】図１１は、本発明を使用者が横になって使用する状態を示す図（一）である。
【図１２】図１２は、本発明を使用者が横になって使用する状態を示す図（二）である。
【図１３】図１３は、本発明を使用者が横になって使用する状態を示す図（三）である。
【発明を実施するための形態】
【００２０】
まず、図１から図５を参照されたい。本発明の振り子式下肢マッサージ機構（二）は、台座１０と揺動アーム２０とを含む。該台座１０の両側に二つの脚フレーム１１がそれぞれ設けられ、該台座１０の上端面の偏心位置に組み合わせベース１２が設けられ、該組み合わせベース１２の下半部に組み合わせ溝１２１が設けられ、揺動モーター１３を固定するためにある。該揺動モーター１３の連動端１３１は該組み合わせベース１２の外に露出し、また該連動端１３１の両側にそれぞれ連動ギア１３２が設けられる。該組み合わせベース１２の上半部は両側を貫通して軸穿孔１４が設けられ、該軸穿孔１４の両側端にそれぞれ軸受け部材１４１が設けられる。また該組み合わせベース１２の両側にそれぞれ保護蓋１５が設けられ、二つの保護蓋１５の内側にそれぞれ収容溝１５１が凹設される。該揺動アーム２０はマッサージ端２１と揺動端２２とを有し、該マッサージ端２１の両側に対称のマッサージローラー２３がそれぞれ設けられ、二つのマッサージローラー２３はそれぞれ二つの円盤２３１を軸柱２３２に連接し、該軸柱２３２は二つの円盤２３１の内側より中央へ集中する複数のマッサージユニット２３３が順番に設けられる。二つのマッサージローラー２３の外にはそれぞれ布カバー２３４で覆われる。該マッサージ端２１の内部にマッサージローラーモーター２４が設けられ、該マッサージローラー２４が心軸２４１を連動して二つのマッサージローラー２３の軸柱２３２と連動することで、二つのマッサージローラー２３の内部のマッサージユニット２３３が回転動作する。該揺動端２２は該組み合わせベース１２の前方に設けられ、また該揺動端２２の両側にそれぞれ揺動ギア２５が固設される。二つの揺動ギア２５の中心孔２５１は該組み合わせベース１２の軸穿孔１４と向かい合わせであり、軸栓２６によって連結制限すると同時に二つの揺動ギア２５と該揺動モーター１３の二つの連動ギア１３２と噛み合わせて動作することで、該揺動モーター１３によって該揺動アーム２０を連動して該台座１０に振り子動作の定点状態があるようにさせることで、該マッサージ端２１の振り子循環マッサージと定点マッサージの目的が果たされる。
【００２１】
上述台座１０の組み合わせベース１２の前方に第一極限スイッチ１６が設けられる。その中、該保護蓋１５の内側に９０度より大きく、１８０度より小さい位置に第二極限スイッチ１７が設けられ、該第一、第二極限スイッチ１６、１７はそれぞれ該揺動モーター１３と連接されることで、該揺動モーター１３の正反転の起動タイミングが制御される。
【００２２】
また上述連動ギア１３２の円直径サイズは該揺動ギア２５の円直径サイズより小さく、さらに歯の差異によって該揺動アーム２０がゆっくり揺動することが果たされる。
【００２３】
構造の組立と運転状態は図１から図５に合わせて図６と図７を参照されたい。該揺動アーム２０のマッサージ端２１は該マッサージローラーモーター２４によって二つのマッサージローラー２３が連動され回転する。該揺動アーム２０の揺動端２２は該組み合わせベース１２の前側に設けられ、軸柱２６を利用して該揺動端２２の両側の揺動ギア２５を該組み合わせベース１２に制限すると同時に、二つの揺動ギア２５と該揺動モーター１３の連動ギア１３２が噛み合って連動する。揺動モーター１３が起動される時、動力が連動ギア１３２によって揺動ギア２５に伝わることで、該軸栓２６を軸心にして該揺動アーム２０を連動して該組み合わせベース１２で揺れ動く。該組み合わせベース１２の両側の保護蓋１５はそれぞれ収容溝１５１によって該揺動ギア２５が被覆されて制限され、異物が巻き込まれてロック状態になることを避ける。また該台座１０の組み合わせベース１２の前方に第一極限スイッチ１６が設けられ、
その中、該保護蓋１５の内側にさらに第二極限スイッチ１７が設けられる。該揺動アーム２０が前方へ動いて該台座１０の第一極限スイッチ１６に接触する時、該揺動モーター１３が切り替えられて反転動作をすることで、該揺動アーム２０が伸びて反対方向に揺動する。反対に、揺動アーム２０が反対方向へ動いて該保護蓋１５の第二極限スイッチ１７に接触する時、該揺動アーム２０が台座１０の前方への正方向揺動状態が生じ、該揺動アーム２０が往復する振り子状態が生じることで、マッサージ端２１の二つのマッサージローラー２３を利用して下肢をマッサージする効果を奏する。また該揺動アーム２０は該台座１０における振り子角度が９０度より大きくなることで、下肢がマッサージできる範囲を大幅に向上する。
【００２４】
このほか、上述のように極限スイッチを利用して揺動モーター１３の正反転動作を切り替える実施方法は、本発明のよりいい実施例の一つであるため、これに限られるものではない。また揺動モーター１３の作動回転数の設定によって正反転の切り替えを果たし、またはほかのセンサースイッチ、回転儀などを合わせて揺動モーター１３の正反転の切り替え効果を奏する。
【００２５】
上述の構造は実際に使用する時、引き続き図８から図１０を参照されたい。使用者が椅子に座り、該マッサージ機構を椅子の前側に置き、そして両足を揺動アーム２０の二つのマッサージローラー２３に置き、揺動モーター１３とマッサージローラーモーター２４を同時に起動する時、二つのマッサージローラー２３のマッサージユニット２３３はマッサージローラーモーター２４に連動されて回転して下肢の筋肉をマッサージする。同じ時間に、該揺動アーム２０は揺動モーター１３の連動につれて振り子動作することで、該マッサージ端２１の二つのマッサージローラー２３を両足の足の甲、くるぶし、ふくらはぎ、膝の後ろ側と大腿に沿って順番にマッサージするため、下肢循環マッサージの効果を奏する。またふくらはぎのマッサージを行う時、両足が上げられて足部筋肉をほぐし、マッサージの効果を大幅に向上する。
【００２６】
その次、該マッサージローラーモーター２４と揺動モーター１３はそれぞれ制御器（図に未表示）を連接し、制御器によってマッサージローラーモーター２４の効率が切り替えられ、二つのマッサージローラー２３の回転速度とマッサージの力加減の調整制御を果たす。また制御器によって該揺動モーター１３の開閉が切り替えられることで、該揺動アーム２０の角度を固定し、定点マッサージの効果を果たし、例えば足底、ふくらはぎの筋肉、膝の後ろ側の筋肉または大腿の筋肉に対してマッサージを強める。
【００２７】
さらに、該マッサージ機構を使用する時、該揺動アーム２０の角度は随意に調整できるため、使用者が寝たままで使用できることで、横になって休憩する時または睡眠時に下肢のマッサージが行える。同時に図１１から図１３を参照されたい。特別なのは、揺動アーム２０は揺動モーター１３の連動によって上昇状態になる時、足部を上へ支え持ち心臓より高くすることで、血液が心臓と肺に回流でき、血液の中の酸素が十分に利用され、長時間緊張する足部の筋肉が休憩したり、ほぐされたりする。さらにマッサージローラー２３のマッサージ動作に合わせると、筋肉痛、疲労などの不具合を解消できる上、足部の血液循環が促進でき、足のダイエットとむくみを解消などの効果を兼ねる。
【００２８】
上述具体的な実施例の構造によると、以下の効果が得られる。（一）本考案のマッサージ機構は台座１０と、該台座１０において振り子動作できる揺動アーム２０とを含む。該揺動アーム２０のマッサージ端２１に二つのマッサージローラー２３が設けられることで、該構造を使用する時、該マッサージローラーモーター２４と揺動モーター１３を同時に起動することによって、振り子が循環して下肢をマッサージする効果を奏するため、下肢のマッサージ範囲が広げられる。さらに揺動アーム２０が上昇する時、該下肢を支えながら持ち上げ、筋肉をほぐすことで、下肢筋肉のマッサージ効果が向上される。
【００２９】
（二）該揺動アーム２０は定点マッサージに切り替えられるため、下肢の筋肉に比較的に不具合がある部位に対して局部的に強調でき、構造の実用性が増加される。
【００３０】
（三）該マッサージ機構は該揺動アーム２０によって使用者が座ってまたは横になったままでも使用できるため、該マッサージ機構使用の利便性が向上される。使用者が横になったまま使用する時、揺動アーム２０の上昇を利用して、下肢を支えながら心臓より高い位置に持ち上げられ、足を上げる効果を奏する。さらにマッサージローラー２３のマッサージ動作に合わせると、下肢マッサージ効果を大幅に向上し、足部の血液循環を促進できるため、筋肉痛、疲労などの不具合を解消でき、該マッサージ機構の実用性が向上される。
【００３１】
（四）該揺動アーム２０は最底部に回されて該台座１０と水平設置にでき、該マッサージ構造の体積を大幅に低減し、空間を占めることが避けられるため、使用後の収納に有利で、収納の利便性が向上される。
以上は、本発明に係る実施例の一部に過ぎないため、本発明の実施範囲を制限するものではない。即ち、本発明の特許請求の範囲内で行われる変化、修飾なども本発明の範囲に属すべきである。
【符号の説明】
【００３２】
１０        台座
１１        脚フレーム
１２        組み合わせベース
１２１      組み合わせ溝
１３        揺動モーター
１３１      連動端
１３２      連動ギア
１４        軸穿孔
１４１      軸受け部材
１５        保護蓋
１５１      収容溝
１６        第一極限スイッチ
１７        第二極限スイッチ
２０        揺動アーム
２１        マッサージ端
２２        揺動端
２３        マッサージローラー
２３１      円盤
２３２      軸柱
２３３      マッサージユニット
２３４      布カバー
２４        マッサージローラーモーター
２４１      心軸
２５        揺動ギア
２５１      中心孔
２６        軸栓
【図１】
2020108727.tif 000003
【図２】
2020108727.tif 000004
【図３】
2020108727.tif 000005
【図４】
2020108727.tif 000006
【図５】
2020108727.tif 000007
【図６】
2020108727.tif 000008
【図７】
2020108727.tif 000009
【図８】
2020108727.tif 000010
【図９】
2020108727.tif 000011
【図１０】
2020108727.tif 000012
【図１１】
2020108727.tif 000013
【図１２】
2020108727.tif 000014
【図１３】
2020108727.tif 000015